(57)【要約】【課題】無線移動通信システムにおいて搬送波集積技術を使用する場合、ＳＣｅｌｌの不活性化を行う具体的な方法を提供する。【解決手段】本発明の端末機の通信方法は、副搬送波を活性化する活性化段階と、副搬送波が活性化されたとき、第１タイマーを開始する第１開始段階と、前記第１タイマーが満了したとき、第２タイマーを開始する第２開始段階と、第２タイマーが満了したとき、活性化された副搬送波を不活性化する不活性化段階とを含む方法とする。【選択図】図１
2018011363.tif 000002
【特許請求の範囲】
【請求項１】
無線通信システムの端末における通信方法において、
基地局からＳＣｅｌｌ（ｓｅｃｏｎｄａｒｙ  ｃｅｌｌ）を活性化するための第１情報を受信する段階と、
前記第１情報に基づいて前記ＳＣｅｌｌを活性化する段階と、
前記第１情報に対応して前記ＳＣｅｌｌの非活性化（ｄｅａｃｔｉｖａｔｉｏｎ）と関連したタイマーを開始する段階と、
前記活性化したＳＣｅｌｌのための第２情報が前記基地局から受信されると、前記ＳＣｅｌｌと関連したタイマーを再開始する段階とを含み、
前記タイマーの長さは、無線リソース制御（ｒａｄｉｏ  ｒｅｓｏｕｒｃｅ  ｃｏｎｔｒｏｌ、ＲＲＣ）メッセージに基づいて識別される少なくとも１つのラジオフレームに対応する
ことを特徴とする通信方法。
【請求項２】
前記タイマーの満了に対応し、前記ＳＣｅｌｌと関連したプレコーダータイプ指示子（ｐｒｅｃｏｄｅｒ  ｔｙｐｅ  ｉｎｄｉｃａｔｉｏｎ、ＰＴＩ）報告を中断する段階をさらに含む
ことを特徴とする請求項１に記載の通信方法。  
【請求項３】
前記タイマーの満了に対応し、前記ＳＣｅｌｌに対応する物理的ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）のモニタリングを中断する段階をさらに含む
ことを特徴とする請求項１に記載の通信方法。  
【請求項４】
前記第１情報は、少なくとも１つのＳＣｅｌｌに対応し、８ｂｉｔの情報を含むビットマップ指示子を含み、
前記ＳＣｅｌｌを活性化する段階は、前記ビットマップ指示子に基づいて前記ＳＣｅｌｌを活性化する段階を含む
ことを特徴とする請求項１に記載の通信方法。  
【請求項５】
前記タイマーが満了に対応し、既に設定されたサブフレームの以降、前記ＳＣｅｌｌ上でサウンディング基準信号（ＳＲＳ）、チャネル品質指示子（ｃｈａｎｎｅｌ  ｑｕａｌｉｔｙ  ｉｎｄｉｃａｔｏｒ）報告、プレコーディングマトリックスインデックス（ｐｒｅｃｏｄｉｎｇ  ｍａｔｒｉｘ  ｉｎｄｅｘ）報告及びランク指示子（ｒａｎｋ  ｉｎｄｉｃａｔｏｒ）報告の伝送を全て中断する段階をさらに含む
ことを特徴とする請求項１に記載の通信方法。
【請求項６】
前記タイマーがサブフレームｎにおいて満了した場合、前記ＰＴＩ報告はサブフレームｎ＋８の以前に中断される
ことを特徴とする請求項２に記載の通信方法。
【請求項７】
無線通信システムの基地局における通信方法において、
ＳＣｅｌｌ（ｓｅｃｏｎｄａｒｙ  ｃｅｌｌ）を活性化するための第１情報を識別する段階と、
前記第１情報を端末に伝送する段階とを含み、
前記第１情報に基づいて、対応するＳＣｅｌｌが活性化され、
前記第１情報に対応して前記ＳＣｅｌｌの非活性化（ｄｅａｃｔｉｖａｔｉｏｎ）と関連したタイマーが端末により開始され、
前記タイマーは、前記活性化したＳＣｅｌｌのための第２情報が前記端末に受信されると、再開始され、
前記タイマーの長さは、無線リソース制御（ｒａｄｉｏ  ｒｅｓｏｕｒｃｅ  ｃｏｎｔｒｏｌ、ＲＲＣ）メッセージに基づいて識別される少なくとも１つのラジオフレームに対応する
ことを特徴とする通信方法。  
【請求項８】
前記タイマーの満了に対応し、前記ＳＣｅｌｌと関連したプレコーダータイプ指示子（ｐｒｅｃｏｄｅｒ  ｔｙｐｅ  ｉｎｄｉｃａｔｉｏｎ、ＰＴＩ）報告が前記端末によって中断される
ことを特徴とする請求項７に記載の通信方法。  
【請求項９】
前記タイマーの満了に対応し、前記ＳＣｅｌｌに対応する物理的ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）のモニタリングが前記端末によって中断される
ことを特徴とする請求項７に記載の通信方法。
【請求項１０】
前記第１情報は、少なくとも１つのＳＣｅｌｌに対応し、８ｂｉｔの情報を含むビットマップ指示子を含み、
前記ＳＣｅｌｌは、前記ビットマップ指示子に基づいて活性化される
ことを特徴とする請求項７に記載の通信方法。
【請求項１１】
前記タイマーが満了に対応し、既に設定されたサブフレームの以降、前記ＳＣｅｌｌ上でサウンディング基準信号（ＳＲＳ）、チャネル品質指示子（ｃｈａｎｎｅｌ  ｑｕａｌｉｔｙ  ｉｎｄｉｃａｔｏｒ）報告、プレコーディングマトリックスインデックス（ｐｒｅｃｏｄｉｎｇ  ｍａｔｒｉｘ  ｉｎｄｅｘ）報告及びランク指示子（ｒａｎｋ  ｉｎｄｉｃａｔｏｒ）報告の伝送が前記端末によって全て中断される
ことを特徴とする請求項７に記載の通信方法。
【請求項１２】
前記タイマーがサブフレームｎにおいて満了した場合、前記ＰＴＩ報告はサブフレームｎ＋８の以前に中断される
ことを特徴とする請求項８に記載の通信方法。
【請求項１３】
無線通信システムの端末において、
信号を送受信する送受信部と、
前記送受信部と関連して、
基地局からＳＣｅｌｌ（ｓｅｃｏｎｄａｒｙ  ｃｅｌｌ）を活性化するための第１情報を受信し、前記第１情報に基づいて前記ＳＣｅｌｌを活性化し、前記第１情報に対応して前記ＳＣｅｌｌの非活性化（ｄｅａｃｔｉｖａｔｉｏｎ）と関連したタイマーを開始し、前記活性化したＳＣｅｌｌのための第２情報が前記基地局から受信されると、前記ＳＣｅｌｌと関連したタイマーを再開始する制御部を含み、
前記タイマーの長さは、無線リソース制御（ｒａｄｉｏ  ｒｅｓｏｕｒｃｅ  ｃｏｎｔｒｏｌ、ＲＲＣ）メッセージに基づいて識別される少なくとも１つのラジオフレームに対応する
ことを特徴とする端末。
【請求項１４】
前記制御部は、
前記タイマーの満了に対応し、前記ＳＣｅｌｌと関連したプレコーダータイプ指示子（ｐｒｅｃｏｄｅｒ  ｔｙｐｅ  ｉｎｄｉｃａｔｉｏｎ、ＰＴＩ）報告を中断する
ことを特徴とする請求項１３に記載の端末。
【請求項１５】
前記制御部は、
前記タイマーの満了に対応し、前記ＳＣｅｌｌに対応する物理的ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）のモニタリングを中断する
ことを特徴とする請求項１３に記載の端末。
【請求項１６】
前記第１情報は、少なくとも１つのＳＣｅｌｌに対応し、８ｂｉｔの情報を含むビットマップ指示子を含み、
前記制御部は、前記ビットマップ指示子に基づいて前記ＳＣｅｌｌを活性化する
ことを特徴とする請求項１３に記載の端末。
【請求項１７】
前記制御部は、前記タイマーが満了に対応し、既に設定されたサブフレームの以降、前記ＳＣｅｌｌ上でサウンディング基準信号（ＳＲＳ）、チャネル品質指示子（ｃｈａｎｎｅｌ  ｑｕａｌｉｔｙ  ｉｎｄｉｃａｔｏｒ）報告、プレコーディングマトリックスインデックス（ｐｒｅｃｏｄｉｎｇ  ｍａｔｒｉｘ  ｉｎｄｅｘ）報告及びランク指示子（ｒａｎｋ  ｉｎｄｉｃａｔｏｒ）報告の伝送を全て中断する
ことを特徴とする請求項１３に記載の端末。
【請求項１８】
前記タイマーがサブフレームｎにおいて満了した場合、前記ＰＴＩ報告はサブフレームｎ＋８の以前に中断される
ことを特徴とする請求項１４に記載の端末。
【請求項１９】
無線通信システムの基地局において、
信号を送受信する送受信部と、
前記送受信部と関連して、
ＳＣｅｌｌ（ｓｅｃｏｎｄａｒｙ  ｃｅｌｌ）を活性化するための第１情報を識別し、前記第１情報を端末に伝送する制御部を含み、前記第１情報に基づき、対応するＳＣｅｌｌが活性化され、前記第１情報に対応して前記ＳＣｅｌｌの非活性化（ｄｅａｃｔｉｖａｔｉｏｎ）と関連したタイマーが端末により開始され、前記タイマーは、前記活性化したＳＣｅｌｌのための第２情報が前記端末に受信されると、再開始され、前記タイマーの長さは、無線リソース制御（ｒａｄｉｏ  ｒｅｓｏｕｒｃｅ  ｃｏｎｔｒｏｌ、ＲＲＣ）メッセージに基づいて識別される少なくとも１つのラジオフレームに対応する
ことを特徴とする基地局。  
【請求項２０】
前記タイマーの満了に対応し、前記ＳＣｅｌｌと関連したプレコーダータイプ指示子（ｐｒｅｃｏｄｅｒ  ｔｙｐｅ  ｉｎｄｉｃａｔｉｏｎ、ＰＴＩ）報告が前記端末によって中断される
ことを特徴とする請求項１９に記載の基地局。  
【請求項２１】
前記タイマーの満了に対応し、前記ＳＣｅｌｌに対応する物理的ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）のモニタリングが前記端末によって中断される
ことを特徴とする請求項１９に記載の基地局。
【請求項２２】
前記第１情報は、少なくとも１つのＳＣｅｌｌに対応し、８ｂｉｔの情報を含むビットマップ指示子を含み、
前記ＳＣｅｌｌは、前記ビットマップ指示子に基づいて活性化される
ことを特徴とする請求項１９に記載の基地局。
【請求項２３】
前記タイマーが満了に対応し、既に設定されたサブフレームの以降、前記ＳＣｅｌｌ上でサウンディング基準信号（ＳＲＳ）、チャネル品質指示子（ｃｈａｎｎｅｌ  ｑｕａｌｉｔｙ  ｉｎｄｉｃａｔｏｒ）報告、プレコーディングマトリックスインデックス（ｐｒｅｃｏｄｉｎｇ  ｍａｔｒｉｘ  ｉｎｄｅｘ）報告及びランク指示子（ｒａｎｋ  ｉｎｄｉｃａｔｏｒ）報告の伝送が前記端末によって全て中断される
ことを特徴とする請求項１９に記載の基地局。
【請求項２４】
前記タイマーがサブフレームｎにおいて満了した場合、前記ＰＴＩ報告はサブフレームｎ＋８の以前に中断される
ことを特徴とする請求項２０に記載の基地局。
【発明の詳細な説明】
【技術分野】
【０００１】
本発明は、無線通信システムに関し、より詳細には、ＬＴＥ（Ｌｏｎｇ  Ｔｅｒｍ  Ｅｖｏｌｕｔｉｏｎ）システムで、複数個の搬送波を同時に使用する搬送波集積（Ｃａｒｒｉｅｒ  Ａｇｇｒｅｇａｔｉｏｎ、ＣＡ）技術を使用するシステムにおいて、主搬送波（Ｐｒｉｍａｒｙ  Ｃａｒｒｉｅｒ）以外の副搬送波（Ｓｅｃｏｎｄａｒｙ  Ｃａｒｒｉｅｒ）を不活性化（Ｄｅａｃｔｉｖａｔｉｏｎ）する方法に関する。
【背景技術】
【０００２】
最近、無線通信技術は、急激な発展を遂げ、これにより、通信システム技術も進化を重ね、このうち、現在第４世代移動通信技術として注目されるシステムがＬＴＥシステムである。ＬＴＥシステムでは、急増するトラフィック需要を満たすために多様な技術が導入され、そのうちの１つが搬送波集積技術である。搬送波集積技術というのは、従来の通信では端末（ＵＥ、以下、端末と称する）と基地局（ｅＮＢ、以下、基地局（ｂａｓｅ  ｓｔａｔｉｏｎ）と称する）との間で１つの搬送波のみ使用したが、主搬送波と１つまたは複数個の副搬送波とを使用して副搬送波の個数分だけ伝送量を画期的に増やすことができるという技術である。なお、ＬＴＥでは、主搬送波をＰＣｅｌｌ（Ｐｒｉｍａｒｙ  Ｃｅｌｌ）と称し、副搬送波をＳＣｅｌｌ（Ｓｅｃｏｎｄａｒｙ  Ｃｅｌｌ）と称する。
【０００３】
前記搬送波集積技術を使用するためにはＰＣｅｌｌでＳＣｅｌｌを制御する追加的な複雑度が発生する。すなわち、ＰＣｅｌｌでどのＳＣｅｌｌを使用するかまたは使用しないかが定められなければならず、また、このような事項が定められた場合、当該ＳＣｅｌｌの使用及び非使用と関連した諸事項に対する制御を行わなければならない。すなわち、ＳＣｅｌｌを不活性化する具体的な方案が明示される必要がある。
【先行技術文献】
【非特許文献】
【０００４】
【非特許文献１】Samsung，"SCell deactivation and CQI reporting"，3GPP TSG-RAN2#73 meeting R2-110881，2011.02.14，pp.1-4
【発明の概要】
【発明が解決しようとする課題】
【０００５】
本発明は、前述したような問題点を解決するためになされたもので、本発明の目的は、無線移動通信システムにおいて搬送波集積技術を使用する場合、ＳＣｅｌｌの不活性化を行う具体的な方法を提供する。
【課題を解決するための手段】
【０００６】
上記目的を達成するために、本発明の一実施態様による端末機の通信方法は、副搬送波を活性化する活性化段階と、前記副搬送波が活性化されたとき、第１タイマーを開始する第１開始段階と、前記第１タイマーが満了したとき、第２タイマーを開始する第２開始段階と、前記第２タイマーが満了したとき、活性化された前記副搬送波を不活性化する不活性化段階とを含むことを特徴とする。
【０００７】
また、本発明の別の態様によれば、信号を送受信する送受信機と、時間経過を測定する第１タイマー及び第２タイマーを含む制御部と、前記送受信機を介して受信された信号または前記制御部の動作によって副搬送波を活性化または不活性化する処理部とを含み、前記処理部は、副搬送波を活性化し、前記第２タイマーが満了したとき、活性化された前記副搬送波を不活性化し、前記制御部は、前記副搬送波が活性化されたとき、前記第１タイマーを開始し、前記第１タイマーが満了したとき、前記第２タイマーを開始することを特徴とする端末機が提供される。
【０００８】
また、本明細書の別の実施態様によれば、無線通信システムで副搬送波を使用するためのシステムは、副搬送波を割り当てる１つ以上の基地局と、前記副搬送波活性化指示子に基づいて副搬送波の使用を活性化する端末とを含み、前記端末は、所定の時間区間が経過し、所定の時間区間の間に前記副搬送波活性化指示子を受信しない場合、前記副搬送波の使用を不活性化することを特徴とする。
【発明の効果】
【０００９】
提案する方法を利用すれば、ＳＣｅｌｌ不活性化時に必要なすべての動作を成功的に実行可能になることで、エラーのない不活性化動作を行うことができる。
【図面の簡単な説明】
【００１０】
【図１】本発明が適用されるＬＴＥシステムの構造を示す図である。
【図２】本発明が適用されるＬＴＥシステムの無線プロトコル構造を示す図である。
【図３】端末でのキャリア集積を説明するための図である。
【図４】本発明で提案するメッセージ流れ図である。
【図５】本発明を適用した端末の動作流れ図である。
【図６】本発明を適用した端末の装置を示す図である。
【発明を実施するための形態】
【００１１】
以下で、本発明を説明するにあたって、関連する公知の機能または構成に対する具体的な説明が本発明の要旨を不明瞭にするおそれがあると判断される場合には、その詳細な説明を省略する。以下、添付の図面を参照して本発明の諸実施形態を説明する。
【００１２】
本発明は、多重搬送波が集積された端末が副搬送波を活性化する方法及び装置に関する。
図１は、本発明が適用されるＬＴＥシステムの構造を示す図である。
図１を参照すれば、図示のように、ＬＴＥシステムの無線アクセスネットワークは、次世代基地局（Ｅｖｏｌｖｅｄ  Ｎｏｄｅ  Ｂ、以下、ＥＮＢ、Ｎｏｄｅ  Ｂ、または基地局と称する）１０５，１１０，１１５，１２０と、ＭＭＥ（Ｍｏｂｉｌｉｔｙ  Ｍａｎａｇｅｍｅｎｔ  Ｅｎｔｉｔｙ）１２５と、Ｓ−ＧＷ（Ｓｅｒｖｉｎｇ−Ｇａｔｅｗａｙ）１３０とで構成される。ユーザ端末（Ｕｓｅｒ  Ｅｑｕｉｐｍｅｎｔ、以下、ＵＥまたは端末と称する）１３５は、ＥＮＢ  １０５〜１２０及びＳ−ＧＷ  １３０を介して外部ネットワークに接続する。
【００１３】
図１で、ＥＮＢ  １０５〜１２０は、ＵＭＴＳシステムの既存ノードＢに対応する。ＥＮＢは、ＵＥ  １３５と無線チャネルで接続され、既存ノードＢより複雑な役目を行う。ＬＴＥシステムでは、インターネットプロトコルを用いたＶｏＩＰ（Ｖｏｉｃｅ  ｏｖｅｒ  ＩＰ）のようなリアルタイムサービスを含めたすべてのユーザトラフィックが共用チャネル（ｓｈａｒｅｄ  ｃｈａｎｎｅｌ）を介してサービスされるので、ＵＥのバッファー状態、可用伝送電力状態、チャネル状態などの状態情報を取り集めてスケジューリングをする装置が必要であり、これをＥＮＢ  １０５〜１２０が担当する。１つのＥＮＢは、通常、複数のセルを制御する。例えば、１００Ｍｂｐｓの伝送速度を実現するために、ＬＴＥシステムは、例えば、２０ＭＨｚ帯域幅で直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭと称する）を無線接続技術として使用する。また、端末のチャネル状態に合わせて変調方式（ｍｏｄｕｌａｔｉｏｎ  ｓｃｈｅｍｅ）とチャネルコーディング率（ｃｈａｎｎｅｌ  ｃｏｄｉｎｇ  ｒａｔｅ）とを決定する適応変調コーディング（Ａｄａｐｔｉｖｅ  Ｍｏｄｕｌａｔｉｏｎ  ＆  Ｃｏｄｉｎｇ、以下、ＡＭＣと称する）方式を適用する。Ｓ−ＧＷ  １３０は、データベアラーを提供する装置であり、ＭＭＥ  １２５の制御によってデータベアラーを生成するか、または除去する。ＭＭＥは、端末に対する移動性管理機能はもちろん、各種制御機能を担当する装置であって、複数の基地局と接続される。
【００１４】
図２は、本発明が適用されるＬＴＥシステムの無線プロトコル構造を示す図である。
図２を参照すれば、ＬＴＥシステムの無線プロトコルは、端末及びＥＮＢでそれぞれＰＤＣＰ（Ｐａｃｋｅｔ  Ｄａｔａ  Ｃｏｎｖｅｒｇｅｎｃｅ  Ｐｒｏｔｏｃｏｌ）２０５，２４０、ＲＬＣ（Ｒａｄｉｏ  Ｌｉｎｋ  Ｃｏｎｔｒｏｌ）２１０，２３５、ＭＡＣ（Ｍｅｄｉｕｍ  Ａｃｃｅｓｓ  Ｃｏｎｔｒｏｌ）２１５，２３０で構成される。ＰＤＣＰ（Ｐａｃｋｅｔ  Ｄａｔａ  Ｃｏｎｖｅｒｇｅｎｃｅ  Ｐｒｏｔｏｃｏｌ）２０５，２４０は、ＩＰヘッダー圧縮／復元などの動作を担当し、無線リンク制御（Ｒａｄｉｏ  Ｌｉｎｋ  Ｃｏｎｔｒｏｌ、以下、ＲＬＣと称する）２１０，２３５は、ＰＤＣＰ  ＰＤＵ（Ｐａｃｋｅｔ  Ｄａｔａ  Ｕｎｉｔ）を適切なサイズに再構成し、ＡＲＱ動作などを行う。ＭＡＣ  ２１５，２３０は、１つの端末に構成された様々なＲＬＣ階層装置と接続され、ＲＬＣ  ＰＤＵをＭＡＣ  ＰＤＵに多重化し、ＭＡＣ  ＰＤＵからＲＬＣ  ＰＤＵを逆多重化する動作を行う。物理階層２２０，２２５は、上位階層データをチャネルコーディング及び変調し、ＯＦＤＭシンボルを生成して無線チャネルで伝送するか、または無線チャネルを介して受信したＯＦＤＭシンボルを復調し、チャネルデコーディングし、上位階層に伝達する動作を行う。
【００１５】
図３は、端末でのキャリア集積を説明するための図である。
図３を参照すれば、１つの基地局では、一般的に様々な周波数帯域にわたって多重キャリアが送出され、受信される。例えば、基地局３０５で中心周波数がｆ１のキャリア３１５と中心周波数がｆ３のキャリア３１０が送出されるとき、従来、１つの端末が前記２つのキャリアのうち１つのキャリアを利用してデータを送受信した。しかし、キャリア集積能力を有している端末は、同時に複数個のキャリアからデータを送受信することができる。基地局３０５は、キャリア集積能力を有している端末３３０に対しては、状況によってさらに多くのキャリアを割り当てることによって、前記端末３３０の伝送速度を高めることができる。
【００１６】
伝統的な意味として１つの基地局で送出され受信される１つの順方向キャリアと１つの逆方向キャリアとが１つのセルを構成するとするとき、キャリア集積というのは、端末が同時に複数個のセルを介してデータを送受信するものと理解することもできる。これにより、最大伝送速度は、集積されるキャリアの数に比例して増加する。
以下、本発明を説明するにあたって、端末が任意の順方向キャリアを介してデータを受信するか、または任意の逆方向キャリアを介してデータを伝送するというのは、前記キャリアを特徴づける中心周波数及び周波数帯域に対応するセルで提供する制御チャネルとデータチャネルを利用してデータを送受信することと同一の意味を有する。また、以下、本発明の実施形態は、説明の便宜のために、ＬＴＥシステムを仮定して説明されるが、本発明は、キャリア集積をサポートする各種無線通信システムに適用されることができる。
【００１７】
図４は、本発明で提案するメッセージ流れ図である。基地局４０３は、端末４０１に該端末に設定されたＳＣｅｌｌのうちどのＳＣｅｌｌを活性化／不活性化するかをＡｃｔｉｖａｔｉｏｎ／Ｄｅａｃｔｉｖａｔｉｏｎ  ＭＡＣ  Ｃｏｎｔｒｏｌ  Ｅｌｅｍｅｎｔ（ＣＥ）を使用して通知する（４０５）。前記Ａｃｔｉｖａｔｉｏｎ／Ｄｅａｃｔｉｖａｔｉｏｎ  ＭＡＣ  ＣＥは、８ビットよりなる固定されたサイズのＭＡＣ  ＣＥであって、７個のＣフィールドと１個のＲフィールドとで構成される。Ｒは、予備（ｒｅｓｅｒｖｅｄ）フィールドであり、７個のＣフィールドそれぞれは、Ｃ７、Ｃ６、Ｃ５、Ｃ４、Ｃ３、Ｃ２、Ｃ１（すなわち、Ｃｉ）で示されることができ、ＳＣｅｌｌ  ｉに対して１の場合、活性化、０の場合、不活性化で表示し、それぞれの副搬送波に対する活性化可否を通知するのに使用される。
【００１８】
これを受信した端末は、どのＳＣｅｌｌを活性化／不活性化しなければならないかを確認し（４０７）、もし、特定ＳＣｅｌｌが活性化される場合には、当該ＳＣｅｌｌを活性化させ、当該ＳＣｅｌｌに対する第１タイマーを開始する（４０９）。
前記第１タイマーを使用する理由は、既存動作でＳＣｅｌｌを活性化または不活性化させるとき、Ａｃｔｉｖａｔｉｏｎ／Ｄｅａｃｔｉｖａｔｉｏｎ  ＭＡＣ  Ｃｏｎｔｒｏｌ  Ｅｌｅｍｅｎｔを使用してどのＳＣｅｌｌを活性化または不活性化させるかを通知したが、前記第１タイマーを使用することによって、Ａｃｔｉｖａｔｉｏｎ／Ｄｅａｃｔｉｖａｔｉｏｎ  ＭＡＣ  Ｃｏｎｔｒｏｌ  Ｅｌｅｍｅｎｔを使用せずに不活性化させる機能を提供することにある。
【００１９】
その後、基地局が当該ＳＣｅｌｌにＰＤＣＣＨ（Ｐｈｙｓｉｃａｌ  Ｄｏｗｎｌｉｎｋ  Ｃｏｎｔｒｏｌ  ＣＨａｎｎｅｌ：物理的ダウンリンク制御チャネル）を介してアップリンク資源を割り当てるか、またはダウンリンク資源を割り当てする場合ごとに、４０９段階で開始した第１タイマーを再開始する（４１１）。
また、当該ＳＣｅｌｌを再活性化（ｒｅａｃｔｉｖａｔｅ：既に活性化状態であるが、前記ＳＣｅｌｌに該当するｃｏｒｒｅｓｐｏｎｄｉｎｇ  ｂｉｔが１に設定されたＡｃｔｉｖａｔｉｏｎ／Ｄｅａｃｔｉｖａｔｉｏｎ  ＭＡＣ  ＣＥを受信する場合）させるＡｃｔｉｖａｔｉｏｎ／Ｄｅａｃｔｉｖａｔｉｏｎ  ＭＡＣ  ＣＥを受信する度に再開始する（４１３）。前記第１タイマーは、ｍフレームの時間長さを有するタイマーであり、ＲＲＣ（Ｒａｄｉｏ  Ｒｅｓｏｕｒｃｅ  Ｃｏｎｔｒｏｌ）階層のメッセージなどで設定可能である。
【００２０】
その後、第１タイマーが満了するまで当該ＳＣｅｌｌにアップリンク／ダウンリンク資源割り当てがないか、または再活性化させるＡｃｔｉｖａｔｉｏｎ／Ｄｅａｃｔｉｖａｔｉｏｎ  ＭＡＣ  ＣＥを受けなかった場合、直ちにＳＣｅｌｌを不活性化することなく、第２タイマーを駆動する（４１５）。
前記第２タイマーを使用する理由は、端末が当該ＳＣｅｌｌに対してサウンディング基準信号（ＳＲＳ：Ｓｏｕｎｄｉｎｇ  Ｒｅｆｅｒｅｎｃｅ  Ｓｙｍｂｏｌ）伝送とＣＱＩ／ＰＭＩ／ＲＩ／ＰＴＩの伝送を中断するために時間を与えるためのものであり、また、第２タイマーが満了する定められた時点に動作を中止し、基地局の性能に悪影響を及ぼさないようにすることに目的がある。前記ＣＱＩ／ＰＭＩ／ＲＩ／ＰＴＩに対する詳細な説明は、次の通りである。
−ＣＱＩ（Ｃｈａｎｎｅｌ  Ｑｕａｌｉｔｙ  Ｉｎｄｉｃａｔｏｒ）：チャネル品質指示子：ビットエラー確率１０％を満たす推薦伝送フォーマット
−ＰＭＩ（Ｐｒｅｃｏｄｉｎｇ  Ｍａｔｒｉｘ  Ｉｎｄｅｘ）：プレコーディングマトリックスインデックス：ｃｌｏｓｅｄ−ｌｏｏｐ  ｓｐａｔｉａｌ  ｍｕｌｔｉｐｌｅｘｉｎｇに使用されるインデックス
−ＲＩ（Ｒａｎｋ  Ｉｎｄｉｃａｔｏｒ）：ランク指示子：推薦する伝送ランク
−ＰＴＩ（Ｐｒｅｃｏｄｅｒ  Ｔｙｐｅ  Ｉｎｄｉｃａｔｉｏｎ）：プレコーダータイプ指示子
【００２１】
もし、第２タイマーが駆動される間に、４１１段階のような該当ＳＣｅｌｌに対するＵＬ  ｇｒａｎｔやＤＬ  ａｓｓｉｇｎｍｅｎｔがＰＤＣＣＨで来る場合にもこれを無視し、第１タイマー、第２タイマーを再駆動／再開始しない（４１７）。
前記第２タイマーが始まった後に行う前記動作のうち、端末と基地局間の相互作用と無関係であり、端末が定められた時点に動作を中止しなければならない必要がない動作は、第２タイマーが満了する前に先に中断することができる。このような動作の例は、次の通りである。
−ＳＣｅｌｌからのＰＤＣＣＨ（Ｐｈｙｓｉｃａｌ  Ｄｏｗｎｌｉｎｋ  Ｃｏｎｔｒｏｌ  ＣＨａｎｎｅｌ）モニタリング中断
−サウンディング基準信号（ＳＲＳ：Ｓｏｕｎｄｉｎｇ  Ｒｅｆｅｒｅｎｃｅ  Ｓｙｍｂｏｌ）伝送中断
【００２２】
また、前記動作のうち、端末と基地局間の相互作用と関連があり、端末が定められた時点に動作を中止しない場合、基地局の性能に悪影響を及ぼすことがあり、第２タイマーが満了した時点で中止しなければならない動作は、次の通りである。
−チャネル状態情報報告（ＣＳＩ  ｒｅｐｏｒｔｉｎｇ）中断
−ＣＱＩ／ＰＭＩ／ＲＩ／ＰＴＩの伝送中断
その後、第２タイマーが満了すれば、当該ＳＣｅｌｌは、不活性化される（４１９）。前記第２タイマーは、ｎサブフレームの時間を有し、ｎは、０以上の整数であり、固定された値の使用が可能である（例えば、ｎ＝８などが使用可能である）。第２タイマー満了後に、サウンディング基準信号（ＳＲＳ：Ｓｏｕｎｄｉｎｇ  Ｒｅｆｅｒｅｎｃｅ  Ｓｙｍｂｏｌ）伝送とＣＱＩ／ＰＭＩ／ＲＩ／ＰＴＩの伝送とを中断する。
【００２３】
図５は、本発明を適用した端末の動作流れ図である。
端末は、８ビットのビットマップが含まれたＡｃｔｉｖａｔｉｏｎ／Ｄｅａｃｔｉｖａｔｉｏｎ  ＭＡＣ  ＣＥを受信し、新規に活性化するＳＣｅｌｌがあるか否かを確認して、もしあれば、当該ＳＣｅｌｌを活性化する（５０１）。より具体的には、端末は、ＭＡＣ  ＣＥを受信する前に不活性化されているＳＣｅｌｌを確認し、ＭＡＣ  ＣＥを受信したとき、不活性化されているＳＣｅｌｌに対してＭＡＣ  ＣＥのビットマップに「活性化」表示されているＳＣｅｌｌを活性化する。前記Ａｃｔｉｖａｔｉｏｎ／Ｄｅａｃｔｉｖａｔｉｏｎ  ＭＡＣ  ＣＥは、活性化するＳＣｅｌｌを決定する決定信号と称することができる。
【００２４】
端末は、新規活性化したＳＣｅｌｌに対してそれぞれ第１タイマーを開始する（５０３）。前記第１タイマーの長さは、設定が可能であり、ｅＮＢによってＲＲＣ  ｃｏｎｎｅｃｔｉｏｎ  ｒｅｃｏｎｆｉｇｕｒａｔｉｏｎ手続中に設定されることができる。端末は、当該ＳＣｅｌｌに対してＰＤＣＣＨを介してアップリンク資源割り当て及びダウンリンク資源割り当てが行われたか、またはＡｃｔｉｖａｔｉｏｎ／Ｄｅａｃｔｉｖａｔｉｏｎ  ＭＡＣ  ＣＥを受信し、当該ＳＣｅｌｌが再活性化されたかを確認する（５０５）。もしそうであれば、第１タイマーを再開始し（５０７）、さらに５０５段階に戻って、当該ＳＣｅｌｌに対してＰＤＣＣＨを介してアップリンク資源割り当て及びダウンリンク資源割り当てが行われたか、またはＡｃｔｉｖａｔｉｏｎ／Ｄｅａｃｔｉｖａｔｉｏｎ  ＭＡＣ  ＣＥを受信し、当該ＳＣｅｌｌが再活性化されたかを確認する。もし、第１タイマーが満了した場合（５０９）、第２タイマーを開始する（５１１）。第２タイマーの長さは、固定されていて、設定可能ではない（例えば、８のような０以上の整数値に固定）。したがって、第２タイマーの長さは、ｅＮＢが通知するものではなく、規格に固定された値を使用する。
【００２５】
第２タイマーが満了したとき（すなわち、第１タイマーが満了した後、固定された長さの時間が経過した後）、端末は、当該ＳＣｅｌｌを不活性化し、当該ＳＣｅｌｌに対するＳＲＳ伝送を中断し、当該ＳＣｅｌｌに対するＣＱＩ／ＰＭＩ／ＲＩ／ＰＴＩの伝送を中断する（５１３）。また、端末は、不活性化されたＳＣｅｌｌに対してＰＤＣＣＨの受信を中断する。また、第２タイマーが始まった場合、端末は、当該ＳＣｅｌｌのＰＤＣＣＨで伝送されたアップリンク資源割り当てとダウンリンク資源割り当てを無視する。これは、第１タイマーが満了したとき、当該ＳＣｅｌｌに対するＰＤＣＣＨモニタリングを中断することによって可能である。すなわち、ＰＤＣＣＨモニタリングは、第１タイマーが満了したときに中断し、ＳＲＳ及びＣＱＩ／ＰＭＩ／ＲＩ／ＰＴＩ伝送などは、第２タイマーが満了した場合に中断する。
【００２６】
図６は、本発明を適用した端末の装置を示す図である。
端末は、上位階層６０５とデータなどを送受信し、制御メッセージ処理部６０７を介して制御メッセージを送受信し、送信時に、制御部６０９の制御によって多重化装置６０３を介して多重化後、送信機を介してデータを伝送し（６０１）、受信時に、制御部６０９の制御によって受信機で物理信号を受信した後（６０１）、逆多重化装置６０３で受信信号を逆多重化し、それぞれメッセージ情報によって上位階層６０５または制御メッセージ処理部６０７に伝達する。
【００２７】
本発明においてＡｃｔｉｖａｔｉｏｎ／Ｄｅａｃｔｉｖａｔｉｏｎ  ＭＡＣ  ＣＥを制御メッセージ処理部６０７が受信すれば、これをＳＣｅｌｌ活性化／不活性化処理部６１１に通知し、新規活性化したＳＣｅｌｌに対して第１タイマーを開始する。その後、前記ＳＣｅｌｌに対して制御部６０９を介してダウンリンク／アップリンクの資源を受信した場合、または制御メッセージ処理部６０７を介して当該ＳＣｅｌｌを再活性化するＡｃｔｉｖａｔｉｏｎ／Ｄｅａｃｔｉｖａｔｉｏｎ  ＭＡＣ  ＣＥを受信した場合、前記第１タイマーを再開始する。
【００２８】
その後、第１タイマーが満了すれば、Ｓｃｅｌｌ活性化／不活性化処理部６１１は、第２タイマーを開始する。この期間の間には、制御部を介してｅＮＢからダウンリンク／アップリンクデータ受信のためのＰＤＣＣＨ受信をしなくてもよい。その後、第２タイマーが満了すれば、ＳＲＳ伝送及びＣＱＩ／ＰＭＩ／ＲＩ／ＰＴＩ伝送を中断する。
提案する方式を使用すれば、搬送波集積技術を使用する場合、ＳＣｅｌｌを不活性化するとき、２つのタイマーを介して行うことによって、誤動作を防止し、正確な動作を行うことができる。
【００２９】
本発明の詳細な説明では、具体的な実施形態に関して説明したが、本発明の範囲を逸脱しない限度内でさまざまな変形が可能であることは勿論である。したがって、本発明の範囲は、説明された実施形態に限定されず、後述する特許請求の範囲だけでなく、この特許請求の範囲と均等なものによって定められなければならない。
【符号の説明】
【００３０】
１０５，１１０，１１５，１２０  基地局（ＥＮＢ）
１２５  移動管理局（ＭＭＥ）
１３０  サービングゲートウェイ（Ｓ−ＧＷ）
１３５  ユーザ端末（ＵＥ）
６０１  送受信機
６０３  多重化及び逆多重化装置
６０５  上位階層装置
６０７  制御メッセージ処理部
６０９  制御部
６１１  ＳＣｅｌｌ活性化／不活性化処理部。
【図１】
2018011363.tif 000003
【図２】
2018011363.tif 000004
【図３】
2018011363.tif 000005
【図４】
2018011363.tif 000006
【図５】
2018011363.tif 000007
【図６】
2018011363.tif 000008